(57)【要約】      （修正有）【課題】音楽を取り入れることにより、遊びの多様化を図ったカルタセットを提供する。【解決手段】音楽をカルタ遊びの主体として、カルタの札の構成から読み札を無くする。ＣＤまたはＤＶＤに収録されている歌曲のメロデーを再生して取り札の指示提起をする。取り札の指示提起をするイントロダクションメロデー、歌曲のカラオケメロデー及び歌手の歌唱を全体構成の中の１つの単位として、ＣＤまたはＤＶＤに収録して、これを再生してカルタの取り札指示提起をする。このメロデーを聞き取り、カルタ遊びの場に散らかしまいたり、並べられているカルタ取り札の中から取り札指示提起されたメロデーに該当するカルタ取り札をすばやく取ってカルタ遊びに興じる。【選択図】図１
0003180213.tif 000002
【実用新案登録請求の範囲】
【請求項１】
カルタの取り札を指示提起する読み札をカルタのセット組から無くし、読み札に代わる取り札の指示提起のソースに音楽を採用し、歌曲のイントロダクションメロデー、カラオケメロデイ、歌手による歌唱を全体構成の中の１つの単位として、１枚のＣＤまたはＤＶＤのデイスクに数十数曲を再生の順番順序を変えて収録したＣＤまたはＤＶＤを複数枚とＣＤまたはＤＶＤに収録された各単位の歌曲の題名、歌詞、情景等を記載した取り札を収録曲数枚で一揃え組として、セット構成したイントロメロデー歌カルタセット。
【考案の詳細な説明】
【技術分野】
【０００１】
本考案は、遊びに使用する厚紙で出来た長方形の札で構成されているカルタ遊びに関する技術分野に属する。
【背景技術】
【０００２】
カルタ遊びに使用するカルタ札は、１厚紙で出来た長方形の札である。２そのカルタ札は読み札と取り札で構成されている。３読み札、取り札は双方同数であり、数十数枚で一揃え組となっている。４通称歌カルタといわれる『百人一首カルタ』、いろはたとえをカルタに応用した『いろはカルタ』等がある。５前項の４に記載した『いろはカルタ』を例にとれば、句を記した四十数枚の読み札と読み札の句の絵解きの絵が描かれた同数の取り札で構成されている。６この考案においては花札、トランプ類のカルタ、カード類は含まない。カルタの遊び方は、１読み札の文言に該当する文言の頭文字と文言に適合した絵解きの絵の描かれた取り札を遊びの場に散らかしまいたり、並べたりして場を整える。２その散らかしまいたり、並べたりした取り札の中から読み札の読みあげによる取り札指示提起により該当札をすばやく取ってカルタ遊びに興ずる。
【考案の概要】
【考案が解決しようとする課題】
【０００３】
解決しようとする課題は、１カルタ遊びを音楽主体とする。２音楽とすることにより、カルタの札の構成から読み札が無くなる。３音楽をカルタ遊びに取り入れることにより、カルタ遊びの多様化を図り、楽しさを増加させる。ことである。
【課題を解決するための手段】
【０００４】
解決しようとする手段は、１カルタ遊びを音楽主体とする。２カルタ札の構成から読み札を無くする。３カルタ遊びの取り札指示提起をＣＤまたは、ＤＶＤに当該歌曲メロデーが収録されており、それを再生して取り札の指示提起をする。４取り札の指示提起をするイントロダクションメロデー、歌曲のカラオケメロデー及び歌手による歌唱は歌曲の一番目の歌詞もって１つの単位としてＣＤまたは、ＤＶＤに収録してあり、これを再生してカルタ取り札指示提起とされるメロデーを聞き取り、カルタ遊びの場に散らかしまいたり、並べたりされているカルタ取り札の中から取り札指示提起されたメロデーに該当するカルタ取り札をすばやく取ってカルタ遊びに興ずる。このようにしてカルタ遊びに音楽を使用することにより、カルタ遊びが多様化するとともに楽しさを増加させる。
【考案の効果】
【０００５】
この考案のカルタ遊びのカルタの取り札指示提起は、ＣＤまたは、ＤＶＤに収録されており、再生用機器、ＣＤラジオカセット、ＣＤプレイヤー、ＤＶＤプレーヤー等を使用して再生する。１枚のＣＤおよびＤＶＤには、歌曲のイントロダクションメロデー、続いて、歌曲のカラオケメロデー、さらに、歌手による歌唱が全体構成の中の１つの単位として数十数曲が収録されている。カルタの取り札を取る人は、再生される取り札指示提起のイントロダクションメロデーを聴いて札をとる人、カラオケメロデーまでを聴いて札を取る人、歌手の歌唱を聴いて札を取る人もいるわけである。イントロダクションメロデーだけを聴いて取り札を取った人は、続いて、再生されてくるカラオケメロデーまたは歌手の歌唱に合わせて、取った取り札に記載されている歌詞を見ながら歌唱する。といった遊びもすることができる。音楽の歌曲のジャンル、カテゴリーも歌謡曲、演歌、学校唱歌、ポピユラー歌曲、アニメーションソング、行進曲、洋楽歌曲、童謡、クラシック曲、オペラ曲、民謡等、また、編曲別、楽器別、各国語別等、多様である。カルタ取り札に記載されているのは、表A面には、歌曲の題名、作曲者名、作詞者名、歌手名、歌詞、歌手の肖像写真、描画等、歌曲の内容に関する風景、情景等の写真、描画等であり、裏B面には、歌曲の題名、一番目の歌詞、歌手の写真、歌曲の内容に関する描画等である。また、カルタ取り札は使用者に対応するようにカルタ取り札のサイズ、記載文字の大きさ、使用者に応じた用字等、使用目的別、使用対象年齢に配慮して作製し、使用者のニーズに答える。１枚のＣＤ及びＤＶＤの収録容量が限られており、収録される歌曲のメロデーは、イントロダクションメロデー、歌曲の一番目のカラオケメロデー、歌唱も歌曲の一番目の歌詞であり、これをもって全体構成の中の１つの単位とする。カルタ取り札の指示提起の再生順番順序を変えてＣＤまたはＤＶＤを複数枚を作製してカルタ取り札とセット組みする。１枚のＣＤまたはＤＶＤに収録した歌曲に対応した取り札と収録曲数に対応した枚数のカルタ取り札をセットして、イントロメロデー歌カルタの一揃え組セットを構成する。なお、ＣＤ及びＤＶＤの再生機器であるＣＤラジオカセット、ＣＤプレーヤー、ＤＶＤプレーヤー等でランダム再生機能を具備している機器の機能を動作させ再生してカルタ遊びに興じる。また、パソコンを使用して動作させランダム再生してカルタ遊びができる。
【図面の簡単な説明】
【０００６】
【図１】イントロメロデー歌カルタのセット構成物の図
【考案を実施するための形態】
【０００７】
イントロメロデー歌カルタの一揃え組みセットの構成は、数十数曲の歌曲のイントロダクションメロデー、カラオケメロデー、歌唱が収録されたＣＤまたはＤＶＤと再生順番順序の異なる複数枚のＣＤまたはＤＶＤでＣＤ及びＤＶＤに収録された歌曲と曲数に対応したカルタ取り札で一揃え組としてセット構成する。ＣＤまたはＤＶＤが複数枚であるのは、収録歌曲の再生順番順序を変えて複数種類としたものである。
【０００８】
ＣＤ及びＤＶＤの再生機器であるCDラジオカセット、ＣＤプレーヤー、ＤＶＤプレーヤー等でランダム再生機能を具備している機器の機能を動作させ再生してカルタ遊びに興じる。また、パソコンを使用して動作させランダム再生してカルタ遊びができる。
【０００９】
ＣＤ及びＤＶＤに収録される歌曲は、歌謡曲、演歌、学校唱歌、ポピユラー歌曲、アニメーションソング、行進曲、洋楽歌曲、童謡、クラシック曲、オペラ曲、民謡等、また、編曲別、楽器別、各国語別等である。
【００１０】
カルタ取り札に記載されているのは、表A面には、歌曲の題名、作曲者名、作詞者名、歌手名、歌詞、歌手の肖像写真、描画等、歌曲の内容に関する風景、情景等の写真、描画等であり、裏B面には、歌曲の題名、一番目の歌詞、外国の歌曲においては表A面に原歌詞の場合にはその訳詞、また、日本語の訳詞の場合には外国語の原歌詞、歌手の写真、歌曲の内容に関連した描画等である。また、使用者のニーズに対応して簡略化した形態とする。
【００１１】
カルタ取り札は、使用者に対応するようにカルタ取り札のサイズ、記載文字の大きさ、使用者に応じた用字等、使用目的別、使用対象年齢に配慮して作製し、使用者のニーズに答える。
【００１２】
１枚のＣＤ及びＤＶＤの収録容量は限られており、収録される歌曲のメロデーは、イントロダクションメロデー、一番目のカラオケメロデー、歌唱も一番目の歌詞だけである。カルタ取り札の指示提起の再生順番順序を変えてＣＤまたはＤＶＤを複数枚作製してカルタ取り札とセット組みする。１枚のＣＤまたはＤＶＤに収録した歌曲に対応した取り札と収録曲数に対応した枚数のカルタ取り札をセットしてイントロメロデー歌カルタの一揃え組セットを構成する。
【符号の説明】
【００１３】
１  ＣＤ
２  ＤＶＤ
３  カルタ取り札  表A面
４  カルタ取り札  裏B面
【実施例】
【００１４】
イントロメロデー歌カルタの編集は、ジャンル別に編集される。歌曲の歌謡曲、演歌、学校唱歌、ポピユラー歌曲、アニメーションソング、行進曲、童謡、洋楽歌曲、クラシック曲、オペラ曲、民謡等があり、カテゴリーに演奏形態をあてていく方途をとり、歌カルタの編集を行う。カテゴリーについては、オリジナル演奏形式に加えて、編曲別、楽器別、歌手別、また、使用目的に応じた使用用途別演奏形態等が用いられる。ほかに各国語別にも歌カルタの編集がされる。編集に当たってカテゴリーがジャンルとなって歌曲がカテゴリーとなることも考えられる。また、ジャンル、カテゴリーを問わないで編集されることもある。
【００１５】
ＣＤまたはＤＶＤに収録される編集形態の仕組みは、１標準形態として、イントロダクションメロデーに続くカラオケメロデー及び歌手による歌唱は当該歌構成の一番目のみが収録される。２イントロダクションメロデーに続くカラオケメロデー及び歌手による歌唱も当該歌曲構成の歌詞の全てが収録される。３イントロダクションメロデーに続くカラオケメロデー無しの当該歌曲構成の歌詞の全てが歌手による歌唱で収録される。４イントロダクションメロデーに続いてカラオケメロデーで当該歌曲構成の全てが収録される。
【００１６】
歌カルタ取り札は使用者に対応して作製する。１取り札のサイズの大きさ。２記載する文字の大きさ。３記載する文字の用字。４記載語の種類。等である。１子供たちが使用する当該歌カルタの取り札は、札サイズが、やや大きめであり、用字もかな文字となる。２高齢者が使用する当該歌カルタの取り札は、札サイズが大きめであり、文字も大きく見やすくする。３子供たちの語学教育に資する当該歌カルタの取り札は、日本語の歌では英語訳、外国語訳の歌詞も記載する。４洋楽歌曲における外国語歌詞は日本語訳された歌詞も記載する。その他、外国の歌は原歌詞と日本語訳を併せて記載して当該歌カルタを構成する。洋楽歌曲の場合においては原歌詞の歌唱をもＣＤ及びＶＤＶに収録する。
【００１７】
イントロメロデー歌カルタは、使用されるお客様の希望される要望に沿って、曲種、曲数、歌手特定、題名等、また、カルタ取り札の図柄、記入事項等、編集、製作をする。
【００１８】
歌カルタ取り札に記載される文言、写真、描画、図柄等は、該当または当該の題名をはじめとして、作曲、編曲、作詞者名及び歌手名が記載され、歌手その他関係者の写真、描画、歌曲、歌詞等、また、その内容に関する風景、情景の写真、描画が記載された歌カルタ取り札とする。
【図１】
0003180213.tif 000003